(57)【要約】【課題】  コンピュータの操作についてあまり知識のないユーザでも、簡単にその動作モードを切替えることができる動作モード切替システムを提供する。【解決手段】  動作制限モードと通常動作モードとに動作モードを切替えるために、ユーザＩＤの文字を指定して、その指定された文字の又は文字位置の順序を予め記憶しておき、コンピュータにログオンしたときのユーザＩＤを画面に表示し、そのユーザＩＤの文字列の中から、ユーザの操作によって順次指定された文字又は文字位置を識別し、識別された文字の指定順序と予め記憶されている文字の指定順序とが一致するか否か、又は、識別された文字位置の指定順序と予め記憶されている文字位置の指定順序とが一致するか否かを判定し、文字の指定順序又は文字位置の指定順序が一致したときに、現在のモードから他方のモードに切替える。【選択図】        図１
2006285819.tif 000002
【特許請求の範囲】
【請求項１】
コンピュータの特定動作を制限する動作制限モードと、該コンピュータの特定動作を制限しない通常動作モードとに動作モードを切り替える動作モード切替システムであって、
前記コンピュータにログオンしたときのユーザＩＤを画面に表示するユーザＩＤ表示手段と、
前記ユーザＩＤ表示手段によって表示されたユーザＩＤの文字列のなかから、ユーザの操作によって順次指定された文字又は文字位置を識別する指定文字識別手段と、
前記ユーザＩＤの文字を指定して、その指定された文字の順序を予め記憶する、又は、前記ユーザＩＤの文字の位置を指定して、その指定された文字の位置の順序を予め記憶する指定順序記憶手段と、
前記指定文字識別手段によって識別された文字の指定順序と前記指定順序記憶手段に記憶されている文字の指定順序とが一致するか否か、又は、前記指定文字識別手段によって識別された文字位置の指定順序と前記指定順序記憶手段に記憶されている文字位置の指定順序が一致するか否かを判定する指定順序判定手段と、
前記指定順序判定手段によって文字の指定順序又は文字位置の指定順序が一致したときに、現在のモードから他方のモードに切替えるモード切替手段とを、コンピュータに備えることを特徴とする動作モード切替システム。
【請求項２】
前記指定順序記憶手段は、指定される文字の指定順序を、ユーザＩＤ毎に予め記憶してなり、
前記指定順序判定手段は、ユーザによって指定された文字の指定順序と、表示されているユーザＩＤに対応した前記指定順序記憶手段に記憶されている文字の指定順序とが一致するか否かを判定してなる請求項１記載の動作モード切替システム。
【請求項３】
前記指定順序記憶手段は、指定される文字の位置の指定順序を、ユーザＩＤ毎に予め記憶してなり、
前記指定順序判定手段は、ユーザによって指定された文字の位置の指定順序と、表示されているユーザＩＤに対応した前記指定順序記憶手段に記憶されている文字の位置の指定順序とが一致するか否かを判定してなる請求項１記載の動作モード切替システム。
【請求項４】
前記指定順序記憶手段は、指定される文字の指定順序又は文字の位置の指定順序を、予め設定された時間毎に記憶してなり、
前記指定順序判定手段は、ユーザによって指定された文字の指定順序又は文字の位置の指定順序と、現在の時刻に対応した指定順序とが一致するか否かを判定してなる請求項１〜３のいずれかに記載の動作モード切替システム。
【発明の詳細な説明】
【技術分野】
【０００１】
本願発明は、コンピュータの利用中に離席するなどに、画面をロックするなどの動作モードを容易に切り替える動作モード切替システムに関する。
【背景技術】
【０００２】
従来、コンピュータの利用中に離席するときには、他人に勝手な操作をされないように画面をロック状態にして離席し、再び使用するときには、パスワードを入力してロック状態を解除して通常の状態に戻して使用している。例えば、Ｗｉｎｄｏｗｓ（登録商標）の機能では、Ｃｔｒｌキー、Ａｌｔキー、Ｄｅｌキーを同時に押下して表示される画面の「コンピュータのロック」ボタンを押下すると、画面が切り替わりロック状態になる。ロック状態を解除するときには、アカウント（ユーザ名）とパスワードを入力し、それらが正しければロック状態を解除するようになっている。
【０００３】
また、ＤＣＳ（分散型制御システム）のシステム生成機能などを実行するコンピュータシステムにおいては、正当なユーザ以外が使用して、不正なデータの作成やデータの改竄がされないように、コンピュータが一定の期間操作されないと、画面表示を消去したり、切り替えたりせずに、ロック状態にする画面ロック装置がある（例えば。特許文献１参照。）。
【特許文献１】特開２００４−３８６０９号公報
【発明の開示】
【発明が解決しようとする課題】
【０００４】
しかしながら、小学生などの子供や老人などコンピュータの操作についてあまり知識のないユーザにとっては、Ｃｔｒｌキー、Ａｌｔキー、Ｄｅｌキーを同時に押下するという操作は難しかった。
【０００５】
また、前記特許文献１の場合には、一定の期間操作しなければ画面がロック状態にならないため、離席するときに画面をロック状態にすることができなかった。また、ロック状態に変更する時間を短くすることで、離席してすぐロック状態にすることもできるが、通常の作業時にもすぐロック状態に変更するため、実用的ではなかった。
【０００６】
本願発明は、係る問題に鑑み、子供や老人などコンピュータの操作についてあまり知識のないユーザであっても、簡単に動作モードを切り替えることができる動作モード切替システムを提供することを目的とする。
【課題を解決するための手段】
【０００７】
本願発明に係る動作モード切替システムは、コンピュータの特定動作を制限する動作制限モードと、該コンピュータの特定動作を制限しない通常動作モードとに動作モードを切り替える動作モード切替システムであって、前記コンピュータにログオンしたときのユーザＩＤを画面に表示するユーザＩＤ表示手段と、前記ユーザＩＤ表示手段によって表示されたユーザＩＤの文字列のなかから、ユーザの操作によって順次指定された文字又は文字位置を識別する指定文字識別手段と、前記ユーザＩＤの文字を指定して、その指定された文字の順序を予め記憶する、又は、前記ユーザＩＤの文字を指定して、その指定された文字の位置の順序を予め記憶する指定順序記憶手段と、前記指定文字識別手段によって識別された文字の指定順序と前記指定順序記憶手段に記憶されている文字の指定順序とが一致するか否か、又は、前記指定文字識別手段によって識別された文字位置の指定順序と前記指定順序記憶手段に記憶されている文字位置の指定順序が一致するか否かを判定する指定順序判定手段と、前記指定順序判定手段によって文字の指定順序又は文字位置の指定順序が一致したときに、現在のモードから他方のモードに切替えるモード切替手段とを、コンピュータに備えるものである。
したがって、画面に表示されたユーザＩＤの文字を順次指定すると、その指定した文字や文字位置を識別し、その識別した文字や文字位置の指定順序と、予め設定していた文字や文字位置の指定順序が一致していれば、動作モードを切り替えることができるため、子供やお年寄りのようなコンピュータの操作に不慣れな人でも、簡単に動作モードを切り替えることができる。
【０００８】
前記指定順序記憶手段は、指定される文字の指定順序を、ユーザＩＤ毎に予め記憶してなり、前記指定順序判定手段は、ユーザによって指定された文字の指定順序と、表示されているユーザＩＤに対応した前記指定順序記憶手段に記憶されている文字の指定順序とが一致するか否かを判定してもよい。
【０００９】
前記指定順序記憶手段は、指定される文字の位置の指定順序を、ユーザＩＤ毎に予め記憶してなり、
前記指定順序判定手段は、ユーザによって指定された文字の位置の指定順序と、表示されているユーザＩＤに対応した前記指定順序記憶手段に記憶されている文字の位置の指定順序とが一致するか否かを判定してもよい。
【００１０】
前記指定順序記憶手段は、指定される文字の指定順序又は文字の位置の指定順序を、予め設定された時間毎に記憶してなり、前記指定順序判定手段は、ユーザによって指定された文字の指定順序又は文字の位置の指定順序と、現在の時刻に対応した指定順序とが一致するか否かを判定してもよい。
【発明の効果】
【００１１】
以上にしてなる本願発明に係る動作モード切替システムは、画面にユーザＩＤを表示するので、コンピュータの利用者が誰なのかをユーザに理解を促すことができ、他のユーザにログオフせずに替わる危険性を認識させることができる。
また、画面にはユーザＩＤの文字が表示されるので、画像等を表示するときに比べてメモリ使用量も少ないので、他のアプリケーションプログラムやＯＳなどの稼働の支障にならない。
【００１２】
また、自身のユーザＩＤをクリックすることで画面をロックする等の動作制限モードに切り替わるので、Ｃｔｒｌキー、Ａｌｔキー、Ｄｅｌキーを同時に押下するという操作をしなくても、動作モードを切り替えることができる。したがって、子供やお年寄り等でも簡単に操作することができる。また、自身のユーザＩＤをクリックするので、クリックする文字を簡単に覚えることができる。
【００１３】
また、指定する文字の指定順序をユーザＩＤ毎に記憶しておき、ユーザＩＤに対応した指定順序データと、ユーザの指定順序とが一致するか否かを判定するので、ユーザが覚えやすい文字を指定でき、コンピュータに不慣れな人でも簡単に操作することができる。また、ユーザＩＤ毎に指定順序を記憶できるので、セキュリティ性能を高くすることができる。
【００１４】
また、指定する文字位置の指定順序をユーザＩＤ毎に記憶しておき、ユーザＩＤに対応した指定順序データと、ユーザが指定した指定順序とが一致するか否かを判定するので、ユーザが覚えやすい文字位置を指定でき、コンピュータに不慣れな人でも簡単に操作することができる。また、ユーザＩＤ毎に指定順序を記憶できるので、セキュリティ性能を高くすることができる。
【００１５】
また、予め設定した時間毎に指定順序データを記憶させ、現在の時刻に対応した指定順序データと、ユーザが指定した指定順序とが一致するか否かを判定し、動作モードを切り替えるので、授業時間毎に指定順序データを設定することもできる。
【発明を実施するための最良の形態】
【００１６】
以下に、本願発明に係る動作モード切替システムの一実施例を図面に基づき説明する。
本願発明に係る動作モード切替システムは、図２に示すように、コンピュータにログオンしたときのユーザＩＤを画面の右下に表示し、誰がこのコンピュータを使用しているかが、一目で分かるようにしている。そして、このユーザＩＤをクリックすることによって、図２で示している通常動作モードから動作制限モードに切り替えたり、逆に動作制限モードから通常動作モードに切り替える。
なお、動作制限モードとは、ディスプレイ等の表示部への表示内容の制限、キーボード等の入力部からの入力制限（例えば、キーボードからの入力信号を遮断する制限）、通信機能の制限、ＨＤＤ等の記録媒体への書き込みや読み出しを制限したりするモードであり、通常動作モードとは、これらの制限が無い動作モードである。
【００１７】
コンピュータ１には、図１に示すように、ユーザＩＤ表示手段２、入力手段３、指定文字識別手段４、指定順序記憶手段５、指定順序判定手段６、モード切替手段７、制御手段８を備えている。また、このコンピュータ１には、表示部９、及び指示部１０が接続されている。
【００１８】
前記ユーザＩＤ表示手段２は、このコンピュータ１にログオンするときに入力されたユーザＩＤを前記表示部９に表示する手段である。このユーザＩＤ表示手段２は、コンピュータ１にログオン可能なユーザＩＤが入力（選択）され、ログオン認証がされると、図２に示すように、画面１１の一部分（図２では、右下部分）に、ユーザＩＤ表示領域１２を設けて、この領域に該ユーザＩＤを表示する手段である。なお、このユーザＩＤ表示領域１２には、ユーザＩＤ以外にも、ユーザＩＤと対応させて予め記憶させているニックネーム（ユーザＩＤ以外の名前）であってもよい。また、図２では、平仮名で「おおぞら  たろう」と表示されているが、文字であれば何でもよく、片仮名、漢字、アルファベット、その他各種言語で使用される文字であってもよい。
【００１９】
前記入力手段３は、図２及び図３に示すように、画面１１に表示されたユーザＩＤの文字を、ポインティングデバイス（マウス）等の指示部１０をユーザが操作することによって出力される信号を入力する手段である。
【００２０】
前記指定文字識別手段４は、入力手段３から入力された信号に基づいて、ユーザが指定した文字（文字コード）又は文字位置を識別する手段である。例えば、図２に示すカーソル１３が、図３（ａ）に示すようにユーザＩＤ表示領域１２の最初の文字「あ」Ａ１をクリックした場合、該カーソル１３が指定したオブジェクトの情報（例えば、アドレス情報やオブジェクトＩＤ情報等、画面上のオブジェクトを識別する情報）を取得し、そのオブジェクトがユーザＩＤ表示領域１２のオブジェクトであるか否かを判定し、ユーザＩＤ表示領域１２のオブジェクトであれば、そのクリックした文字がどの文字（文字コード）であるか、又は文字列１５の何番目であるかを識別する。
【００２１】
前記指定順序記憶手段５は、コンピュータ１の特定の動作を制限する動作制限モードと、この特定の動作を制限しない通常動作モードとに切り替えるか否かを判定するために、予め指定される文字の順序又は文字位置の順序を記憶する指定順序データを手段である。例えば、図３に示すように、ユーザＩＤ表示領域１２に表示する文字列１５が「あおぞら  たろう」で、この文字列の中から指定する文字（文字コード）の順序を記憶するときには、「あ」Ａ１、「う」Ａ８、「ら」Ａ４の文字（文字コード）とその順序を記憶する。又は、文字列の中から指定する文字の位置を記憶するときには、ユーザＩＤの文字配列の位置情報（例えば、「文字列の最初」、「文字列の最後」、「文字列の４番目」）を記憶する。
なお、前記指定順序データは、全ユーザが同一の指定順序データを使用してもよいが、セキュリティを考慮して、ユーザＩＤ毎に指定順序データを対応させて記憶させ、ユーザＩＤ毎に文字の指定順序又は文字位置の指定順序を設定できるようにしてもよい。また、予め設定した時間毎（例えば、月曜日の８：４０〜９：３０、月曜日〜金曜日の１３：００〜１３：５０、○月○日の１５：００〜１６：００等のデータ）に指定順序データを記憶させ、時間によって動作モードを切り替えるときの指定順序を変更してもよい。また、予め設定した時間毎に、全ユーザの文字の指定順序が該時間毎に変更されてもよいし、時間及びユーザＩＤ毎に指定順序が変更されてもよい。
【００２２】
前記指定順序判定手段６は、前記指定文字識別手段４によって識別された文字の指定順序と前記指定順序記憶手段に記憶されている文字の指定順序とが一致するか否かを判定する手段である。又は、前記指定文字識別手段４によって識別された文字位置の指定順序と前記指定順序記憶手段に記憶されている文字位置の指定順序とが一致するか否かを判定する手段である。なお、前記指定順序記憶手段５が、時間毎、ユーザＩＤ毎に指定順序データを記憶している場合には、現在の時間、現在ログオンしているユーザＩＤ毎に対応する指定順序データを読み出す。そして、この読み出した指定順序と前記指定文字識別手段４によって識別された文字（又は文字位置）の指定順序とが一致するか否かを判定する。
【００２３】
前記モード切替手段７は、前記指定順序判定手段６によって、文字の指定順序又は文字位置の指定順序が一致したときに、現在の動作モードから他方の動作モードへ切り替える手段である。そして、動作モードを切り替えるときには、前記制御手段に切り替え信号を送信して、コンピュータ１の動作を制御する。
【００２４】
以下に、「あおぞら  たろう」というユーザＩＤでコンピュータ１にログオンし、画面をロックする（動作制限モード）にモードを切り替えるときの動作モード切替システムの処理を図４に示すフロー図に基づいて説明する。
【００２５】
まず、ユーザは、コンピュータ１にログオンするためにユーザＩＤとパスワードを入力してコンピュータ１にログオンする。なお、キーボードから入力するだけでなく、ユーザＩＤとパスワードを含むユーザデータを記憶するユーザデータ記憶手段（図示しない）に記憶されているユーザＩＤを表示部９に表示させ、その表示された中から自身のユーザＩＤを選択してログオンするようにしてもよい。
そして、ユーザが入力したユーザＩＤとパスワードに基づいて、ユーザ認証を行い、ログオン処理を行うと、前記ユーザＩＤ表示手段２は、図２に示すように、画面１１の下部のユーザＩＤ表示領域１２にユーザＩＤ（図２では、「あおぞら  たろう」）を常に表示する（Ｓ１）。
【００２６】
このように、ユーザＩＤをログオン時や特定の操作をしたときだけ表示されるのではなく、「常にユーザＩＤを表示する」ことによって、単に誰が使用しているかが分かるだけでなく、特にコンピュータの初心者に、「ログオン」の行為が、単にコンピュータを使用できる状態にすることだけでなく、「コンピュータを誰が使うか決定する行為」でもあることを認識させることができ、学校等のコンピュータを利用した授業においては特に有益な機能である。また、「このコンピュータは、自分が使っている」という認識が生まれることにより、ログオフせずに他人に変わる行為の危険性への意識を高めることができる。
【００２７】
そして、前記指定順序記憶手段５に記憶されている指定順序データを読み出し、メモリに記憶させる（Ｓ２）。本実施例での指定順序データとしては、「１回目の指定は、文字列の１番目」、「２回目の指定は、文字列の最後」、「３回目の指定は、文字列の４番目」というデータを記憶しておく。その後、カウンタｉに１を代入し、初期化する（Ｓ３）。
【００２８】
ユーザは、カーソル１３を文字列１５に表示されている文字上に移動させて、クリック（指定）する（Ｓ４）。例えば、図３（ａ）に示すように、カーソル１３を文字列１５の最初の文字「あ」Ａ１をクリックする。
【００２９】
そして、この指定信号が入力手段３に入力されると、前記指定文字識別手段４は、カーソル１３が指定した文字列１５の文字位置を判定する（Ｓ５）。
ステップ５でユーザが指定した文字位置と、ステップ２で読み出した指定順序データのｉ番目（カウンタｉ）（この場合は、１番目）に指定されている文字位置とが一致するか否かを判定し、一致する場合には、ステップ７に移行し、一致しない場合にはエラーメッセージを表示部９に表示し（Ｓ９）ステップ３に移行する。（上述のステップ２で、文字列１５の１番目をクリックしたので、前記２つの文字位置は一致する。）なお、ステップ９でエラーメッセージを表示しないようにしてもよい。
【００３０】
ステップ６で前記２つの文字位置が一致する場合には、前記指定順序データの指定回数（本実施例では、３回）と、カウンタｉの回数が一致するか否かを判定する（Ｓ７）。該２つの数が一致しないとき（本実施例では、１回目に文字列をクリックしたとき）には、ステップ１０に移行する。そして、ステップ１０では、カウンタｉを加算し（カウンタｉに２を代入し）、ステップ４に移行する。
【００３１】
そして、図３（ｂ）に示すように、カーソル１３を文字列１５の最後の文字「う」Ａ８がユーザによってクリックされると（Ｓ４）、前記指定文字識別手段４によって、指定された文字列１５の文字位置を識別し（Ｓ５）、前記指定順序データの２番目の文字位置と、ステップ５で識別した文字位置とが一致するかを判定し（Ｓ６）、該２つの文字位置が一致するときには、前記指定順序データの指定回数（本実施例では、３回）と、カウンタｉの回数が一致するか否かを判定する（Ｓ７）。該２つの数が一致しないとき（本実施例では、２回目に文字列をクリックしたとき）には、ステップ１０に移行する。そして、ステップ１０では、カウンタｉを加算し（カウンタｉに３を代入し）、ステップ４に移行する。
【００３２】
さらに、図３（ｃ）に示すように、カーソル１３を文字列１５の４番目の文字「ら」Ａ４をクリックしたときも、上述と同様にステップ５〜７の処理を実行する。
【００３３】
ステップ７で前記２つの数が一致したときには、予め記憶させておいた指定順序データの指定順序（文字位置の順序）と、ユーザが指定した文字位置の順序が全て一致するので、動作モードを切り替えるために、切替信号を制御手段８に送信し、制御手段８は、現在の動作モードを他方の動作モードに切り替える（Ｓ８）。このとき、図２に示すように、通常動作モードでアイコン１４や、アプリケーションのウインドウ（図示しない）が表示されているときから、動作制限モードに切り替わると、前記アイコン１４やアプリケーションのウインドウが画面１１に表示されず、ユーザＩＤ表示領域１２のみが表示されるようになり、離席したときなどに、他人に画面の表示内容を見られることない。また、制御手段８が、動作制限モードのときにはキーボードからの入力信号を無視するように制御することで、データの改竄や不正やデータを作成されることを防止することができる。
【００３４】
同様に、動作制限モードから通常動作モードに切り替えるときには、画面１１に表示されているユーザＩＤ表示領域１２のユーザＩＤの文字をクリックして、指定順序データの文字位置とユーザがクリックした文字位置とが、全て一致するときには、動作モードを切り替える。
【００３５】
なお、上記実施例では、文字列１５の文字位置が一致するか否かを判定していたが、文字（文字コード）が一致するか否かを判定してもよい。
【００３６】
上述のように、画面１１には常にユーザＩＤが表示されるので、常にコンピュータ１の利用者が分かるようになっているだけでなく、ユーザＩＤの文字を表示しているだけなので、画像等を表示するときに比べてメモリ使用量も少ないので、他のアプリケーションプログラムやＯＳなどの稼働の支障にならない。
【００３７】
また、自身のユーザＩＤをクリックすることで画面をロックする等の動作制限モードに切り替わるので、Ｃｔｒｌキー、Ａｌｔキー、Ｄｅｌキーを同時に押下するという操作をしなくても、動作モードを切り替えることができるので、子供やお年寄り等でも簡単に操作することができる。また、自身のユーザＩＤをクリックするので、クリックする文字を簡単に覚えることができる。
【００３８】
なお、上述の実施例では、動作モードとして２つの動作モードを切り替えているが、制限する特定動作がそれぞれ異なる複数の動作制限モードと、通常動作モードとを切り替えるようにしてもよい。このときは、動作制限モード毎に指定順序データを記憶させておき、該指定順序データの文字位置（又は文字コード）と、前記指定文字識別手段４によって判定された文字位置（又は文字コード）とが一致する指定順序データを選択し、この指定順序データに対応した動作モードに切り替えることもできる。
【図面の簡単な説明】
【００３９】
【図１】動作モード切替システムの概要を示すブロック図である。
【図２】コンピュータの画面を説明した図である。
【図３】ユーザＩＤの文字を指定している状態の説明図である。
【図４】動作モード切替システムのフロー図である。
【符号の説明】
【００４０】
１  コンピュータ
２  ユーザＩＤ表示手段
３  入力手段
４  指定文字識別手段
５  指定順序記憶手段
６  指定順序判定手段
７  モード切替手段
８  制御手段
８  日の
９  表示部
１０  指示部
１１  画面
１２  ユーザＩＤ表示領域
１３  カーソル
１４  アイコン
１５  文字列
ｉ  カウンタ
【図１】
2006285819.tif 000003
【図２】
2006285819.tif 000004
【図３】
2006285819.tif 000005
【図４】
2006285819.tif 000006